(57)【要約】【課題】製品の小型化、特に平面方向の小型化を推進できる血圧計を提供すること。【解決手段】血圧計の本体の内部に、ポンプ１７と、ポンプ１７から流体袋２２へ流体を送り込み又は流体袋２２から流体を排出させる第１の流体経路４１が設けられている。本体の内部に配置された第１の基板６１に圧力センサ１６が搭載されている。流体袋２２から圧力センサ１６へ流体を導入する第２の流体経路４２が設けられている。第２の流体経路４２は、圧力センサ１６を収容したセンサパッケージ１６ｐと一体の導入管１６ｄを周壁として含み、流体袋２２と圧力センサ１６との間でストレートに延在している。厚さ方向（Ｚ方向）に関して第１の基板６１と流体袋２２との間で、かつ、平面方向（ＸＹ方向）に関して第２の流体経路４２と隣り合う空間ＳＰ２に、血圧測定のための要素を搭載した第２の基板６２が配置されている。【選択図】図１２
2018000692.tif 000002
【特許請求の範囲】
【請求項１】
被測定部位を取り巻いて装着される血圧計であって、
流体が供給される流体袋を含み、上記被測定部位を取り巻くべき帯状のベルトと、
上記ベルトの外面側に設けられた本体と、
上記本体の内部に配置された、上記流体袋に流体を供給可能なポンプと、
上記ポンプから上記流体袋へ流体を送り込み又は上記流体袋から流体を排出させる第１の流体経路と、
上記本体の内部に配置された第１の基板に、センサパッケージに収容された状態で搭載され、上記流体袋内の圧力を検知可能な圧力センサと、
上記流体袋から上記圧力センサへ流体を導入する第２の流体経路とを備え、
上記第２の流体経路は、上記センサパッケージと一体の導入管を周壁として含み、上記流体袋と上記圧力センサとの間でストレートに延在し、
厚さ方向に関して上記第１の基板と上記流体袋との間で、かつ、上記厚さ方向に対して垂直な平面方向に関して上記第２の流体経路と隣り合う空間に、血圧測定のための要素を搭載した第２の基板が配置されていることを特徴とする血圧計。
【請求項２】
請求項１に記載の血圧計において、
上記第２の基板は、上記平面方向に沿った板面内に、上記第２の流体経路を通すための逃げ部を含むことを特徴とする血圧計。
【請求項３】
請求項１または２に記載の血圧計において、
上記ポンプは、上記平面方向に関して上記第１の基板に隣り合った位置に配置され、
上記第１の流体経路は、上記ポンプが有する吐出管を周壁として含み、上記第２の流体経路と平行に上記ポンプと上記流体袋との間でストレートに延在し、
上記第２の基板は、上記厚さ方向に関して上記ポンプと上記流体袋との間で、かつ、上記平面方向に関して上記第１の流体経路の隣り合う空間に延在していることを特徴とする血圧計。
【請求項４】
請求項３に記載の血圧計において、
上記第２の基板は、上記平面方向に沿った板面内に、上記第１の流体経路を通す別の逃げ部を含むことを特徴とする血圧計。
【請求項５】
請求項３または４に記載の血圧計において、
上記ポンプを駆動するためのポンプ駆動回路が上記第２の基板に搭載され、
上記第２の基板のうち上記ポンプ駆動回路が搭載された領域は、上記平面方向に関して、上記第１の基板のうち上記圧力センサが搭載された領域から離間して上記ポンプに対向しており、
上記ポンプ駆動回路と上記ポンプとを電気的に接続するリード線は、上記平面方向に関して、上記圧電ポンプのうち上記圧力センサに対して反対側の端部に接続されていることを特徴とする血圧計。
【請求項６】
請求項１から５までのいずれか一つに記載の血圧計において、
上記圧力センサの出力を受けて血圧を算出する処理を行う制御部が上記第１の基板に搭載され、
上記第１の基板において上記圧力センサが搭載された領域に上記制御部が搭載された領域が隣り合っていることを特徴とする血圧計。
【請求項７】
請求項６に記載の血圧計において、
上記第１の基板のうち少なくとも上記圧力センサが搭載された領域と上記制御部が搭載された領域は、上記厚さ方向に関して、上記第１の基板よりも外側に配置された金属板を有する表示器と、上記第１の基板よりも内側に配置された上記第２の基板とで遮蔽されていることを特徴とする血圧計。
【請求項８】
請求項１から７までのいずれか一つに記載の血圧計において、
上記本体は、上記第２の基板と上記流体袋との間に底壁を有し、この底壁は、上記第２の流体経路の周壁の一部を構成するように、上記厚さ方向に延びる貫通した円筒部を有し、
上記底壁の上記円筒部に対して、上記圧力センサの上記導入管、上記流体袋に連通するニップルが、それぞれ気密に取り付けられていることを特徴とする血圧計。
【請求項９】
請求項１から８までのいずれか一つに記載の血圧計において、
上記本体内に、この血圧計の各部へ電力供給するための電池が搭載され、
上記電池は、上記厚さ方向に関して、少なくとも上記第１の基板および上記第２の基板が配置された範囲を連続的に占めていることを特徴とする血圧計。
【請求項１０】
請求項９に記載の血圧計において、
上記第１の基板、上記ポンプ、上記第２の基板、および上記電池が、全体として直方体状の輪郭をもつ外形をなしていることを特徴とする血圧計。
【発明の詳細な説明】
【技術分野】
【０００１】
この発明は血圧計に関する。より詳しくは、この発明は、血圧測定用カフに供給された流体の圧力を上記カフに連通する導入管を通して圧力センサによって検出し、その検出した圧力に基づいて血圧値を求める電子血圧計に関する。
【背景技術】
【０００２】
この種の血圧計としては、例えば特許文献１（特開平０９−１０１２２０号公報）に開示されているように、圧力センサを収容するパッケージの底面に、筒状の導入管を突出させて一体的に構成してなる圧力センサモジュールを備えたものが知られている。上記圧力センサモジュールのパッケージは回路基板の上面に取り付けられ、この回路基板に予め設けられた貫通孔を通して上記導入管が上記回路基板の下方へ延びている。上記導入管は細長いチューブ（導圧管）を介してカフに接続されている。
【０００３】
また、最近の血圧計、特に手首式血圧計では、製品を小型化するニーズが高まっている。例えば特許文献２（特開平２０１３−２２０１８７号公報）に記載の手首式血圧計では、血圧測定用カフに内包された流体袋と圧力センサとが厚さ方向に重ねて配置され、流体袋と圧力センサとの間に流体経路（上記導入管に相当する）がストレートに設けられている。これにより、製品の小型化および薄型化が図られている。
【先行技術文献】
【特許文献】
【０００４】
【特許文献１】特開平０９−１０１２２０号公報
【特許文献２】特開平２０１３−２２０１８７号公報
【発明の概要】
【発明が解決しようとする課題】
【０００５】
しかしながら、特許文献１（特開平０９−１０１２２０号公報）、特許文献２（特開平２０１３−２２０１８７号公報）のいずれに記載の血圧計でも、上記導入管（または流体経路）の周りに、部品が配置されていない空間が比較的広く存在している。したがって、この空間を活用することによって、製品の小型化、特に平面方向の小型化をさらに推進できる可能性がある。
【０００６】
そこで、この発明の課題は、製品の小型化、特に平面方向の小型化を推進できる血圧計を提供することにある。
【課題を解決するための手段】
【０００７】
上記課題を解決するため、この発明の血圧計は、
被測定部位を取り巻いて装着される血圧計であって、
流体が供給される流体袋を含み、上記被測定部位を取り巻くべき帯状のベルトと、
上記ベルトの外面側に設けられた本体と、
上記本体の内部に配置された、上記流体袋に流体を供給可能なポンプと、
上記ポンプから上記流体袋へ流体を送り込み又は上記流体袋から流体を排出させる第１の流体経路と、
上記本体の内部に配置された第１の基板に、センサパッケージに収容された状態で搭載され、上記流体袋内の圧力を検知可能な圧力センサと、
上記流体袋から上記圧力センサへ流体を導入する第２の流体経路とを備え、
上記第２の流体経路は、上記センサパッケージと一体の導入管を周壁として含み、上記流体袋と上記圧力センサとの間でストレートに延在し、
厚さ方向に関して上記第１の基板と上記流体袋との間で、かつ、上記厚さ方向に対して垂直な平面方向に関して上記第２の流体経路と隣り合う空間に、血圧測定のための要素を搭載した第２の基板が配置されていることを特徴とする。
【０００８】
本明細書で、帯状のベルトの「外面」とは、被測定部位から遠い側の面を指す。
【０００９】
また、第２の流体経路が「ストレート」であるとは、厚さ方向に関してセンサパッケージと流体袋とが互いに対向し、センサパッケージの流体導入口と流体袋の流体出入口とを含んでストレートであることを意味する。
【００１０】
また、「厚さ方向」とは、被測定部位の外周面に垂直な方向、言い換えれば、帯状のベルトを貫通する方向を指す。「平面方向」とは、上記厚さ方向に対して垂直な面が延在する方向を指す。
【００１１】
また、上記平面方向に関して上記第２の流体経路と「隣り合う空間」は、例えば、上記第２の流体経路の周りの全域であってもよく、また、上記第２の流体経路の片側の空間であってもよい。
【００１２】
また、「血圧測定のための要素」としては、例えば上記ポンプを駆動するためのポンプ駆動回路などが含まれる。
【００１３】
この発明の血圧計では、本体の内部に配置されたポンプから第１の流体経路を通して上記流体袋へ流体が送り込まれ又は上記流体袋から流体が排出される。これにより、上記流体袋内の圧力が加圧又は減圧される。また、上記流体袋に供給された流体の圧力が第２の流体経路を通して圧力センサ（上記第１の基板に搭載されている）によって検出される。この検出された圧力に基づいて、例えば公知のオシロメトリック法により血圧値が求められる。ここで、この血圧計では、厚さ方向に関して上記第１の基板と上記流体袋との間で、かつ、上記厚さ方向に対して垂直な平面方向に関して上記第２の流体経路と隣り合う空間に、血圧測定のための要素を搭載した第２の基板が配置されている。したがって、上記第２の流体経路と隣り合う空間を上記第２の基板によって活用できる。この結果、製品の小型化、特に平面方向の小型化を推進できる。
【００１４】
詳しくは、仮に、上記第２の基板が存在せず、上記第２の基板に搭載されるべき上記血圧測定のための要素が上記第１の基板に搭載されるものとすれば、その分だけ（上記血圧測定のための要素が配置される領域の分だけ）上記第１の基板の平面方向の寸法は大きくならざるを得ない。これに対して、この発明の血圧計では、従来部品が配置されていなかった上記空間を、上記第２の基板によって活用できる。この結果、上記第１の基板の平面方向の寸法を小さくでき、平面方向の小型化を推進できる。
【００１５】
一実施形態の血圧計では、上記第２の基板は、上記平面方向に沿った板面内に、上記第２の流体経路を通すための逃げ部を含むことを特徴とする。
【００１６】
上記第２の基板が有する「逃げ部」は、基板を厚さ方向に貫通する貫通孔であっても良いし、また、板面の周縁に設けられた切り欠きであっても良い。
【００１７】
この一実施形態の血圧計では、上記第２の基板は、上記平面方向に沿った板面内に、上記第２の流体経路を通すための逃げ部を含む。したがって、上記第２の流体経路に対して上記第２の基板が干渉することがない。
【００１８】
一実施形態の血圧計では、
上記ポンプは、上記平面方向に関して上記第１の基板に隣り合った位置に配置され、
上記第１の流体経路は、上記ポンプが有する吐出管を周壁として含み、上記第２の流体経路と平行に上記ポンプと上記流体袋との間でストレートに延在し、
上記第２の基板は、上記厚さ方向に関して上記ポンプと上記流体袋との間で、かつ、上記平面方向に関して上記第１の流体経路の隣り合う空間に延在していることを特徴とする。
【００１９】
本明細書で、第１の流体経路が「ストレート」であるとは、厚さ方向に関してポンプと流体袋とが互いに対向し、ポンプの流体吐出口と流体袋の流体出入口とを含んでストレートであることを意味する。
【００２０】
この一実施形態の血圧計では、上記第２の基板は、上記厚さ方向に関して上記ポンプと上記流体袋との間で、かつ、上記平面方向に関して上記第１の流体経路と隣り合う空間に延在している。したがって、上記第１の流体経路と隣り合う空間を上記第２の基板によって活用できる。この結果、製品の小型化をさらに推進できる。
【００２１】
一実施形態の血圧計では、上記第２の基板は、上記平面方向に沿った板面内に、上記第１の流体経路を通す別の逃げ部を含むことを特徴とする。
【００２２】
この一実施形態の血圧計では、上記第２の基板は、上記平面方向に沿った板面内に、上記第１の流体経路を通す別の逃げ部を含む。したがって、上記第１の流体経路に対して上記第２の基板が干渉することがない。
【００２３】
一実施形態の血圧計では、
上記ポンプを駆動するためのポンプ駆動回路が上記第２の基板に搭載され、
上記第２の基板のうち上記ポンプ駆動回路が搭載された領域は、上記平面方向に関して、上記第１の基板のうち上記圧力センサが搭載された領域から離間して上記ポンプに対向しており、
上記ポンプ駆動回路と上記ポンプとを電気的に接続するリード線は、上記平面方向に関して、上記圧電ポンプのうち上記圧力センサに対して反対側の端部に接続されていることを特徴とする。
【００２４】
この一実施形態の血圧計では、上記第２の基板のうち上記ポンプ駆動回路が搭載された領域は、上記平面方向に関して、上記第１の基板のうち上記圧力センサが搭載された領域から離間して上記ポンプに対向している。また、上記ポンプ駆動回路と上記ポンプとを電気的に接続するリード線は、上記平面方向に関して、上記圧電ポンプのうち上記圧力センサに対して反対側の端部に接続されている。したがって、上記ポンプを駆動する際の上記ポンプ駆動回路および上記リード線の発熱が上記圧力センサへ伝わり難い。この結果、上記圧力センサの出力が発熱の影響を受けにくくなって、血圧測定の精度が高まる。
【００２５】
一実施形態の血圧計では、
上記圧力センサの出力を受けて血圧を算出する処理を行う制御部が上記第１の基板に搭載され、
上記第１の基板において上記圧力センサが搭載された領域に上記制御部が搭載された領域が隣り合っていることを特徴とする。
【００２６】
この一実施形態の血圧計では、上記第１の基板において上記圧力センサが搭載された領域に上記制御部が搭載された領域が隣り合っている。したがって、上記圧力センサと上記制御部との間の配線が比較的短くなり、上記圧力センサの出力にノイズが乗り難くなる。この結果、血圧測定の精度がさらに高まる。
【００２７】
一実施形態の血圧計では、上記第１の基板のうち少なくとも上記圧力センサが搭載された領域と上記制御部が搭載された領域は、上記厚さ方向に関して、上記第１の基板よりも外側に配置された金属板を有する表示器と、上記第１の基板よりも内側に配置された上記第２の基板とで遮蔽されていることを特徴とする。
【００２８】
上記第１の基板よりも「外側」とは、被測定部位から遠い側を指す。上記第１の基板よりも「内側」とは、被測定部位に近い側を指す。
【００２９】
この一実施形態の血圧計では、少なくとも上記第１の基板のうち上記圧力センサが搭載された領域および上記制御部が搭載された領域は、上記厚さ方向に関して、上記第１の基板よりも外側に配置された金属板を有する表示器と、上記第１の基板よりも内側に配置された上記第２の基板とで遮蔽されている。したがって、上記圧力センサの出力にノイズが乗り難くなる。この結果、血圧測定の精度がさらに高まる。
【００３０】
一実施形態の血圧計では、
上記本体は、上記第２の基板と上記流体袋との間に底壁を有し、この底壁は、上記第２の流体経路の周壁の一部を構成するように、上記厚さ方向に延びる貫通した円筒部を有し、
上記底壁の上記円筒部に対して、上記圧力センサの上記導入管、上記流体袋に連通するニップルが、それぞれ気密に取り付けられていることを特徴とする。
【００３１】
この一実施形態の血圧計では、上記底壁の上記円筒部に対して、上記圧力センサの上記導入管、上記流体袋に連通するニップルが、それぞれ気密に取り付けられている。これにより、上記第２の流体経路が構成されている。ここで、仮に、上記圧力センサの上記導入管と上記流体袋に連通するニップルとが直接嵌合して取り付けられるものとすれば、組み立て時に、上記ニップルから上記導入管、上記センサパッケージを介して上記圧力センサに応力が加わって、上記圧力センサの特性が損なわれるおそれがある。これに対して、この一実施形態の血圧計では、上記底壁の上記円筒部に対して、上記圧力センサの上記導入管、上記流体袋に連通するニップルが、それぞれ気密に取り付けられている。したがって、上記底壁の上記円筒部に対する上記圧力センサの上記導入管の取り付けと、上記底壁の上記円筒部に対する上記流体袋に連通する上記ニップルの取り付けとは、互いに独立して行われ得る。したがって、組み立て時に、上記ニップルからの応力によって上記圧力センサの特性が損なわれるおそれが無い。この結果、組み立ての信頼性が高まる。
【００３２】
一実施形態の血圧計では、
上記本体内に、この血圧計の各部へ電力供給するための電池が搭載され、
上記電池は、上記厚さ方向に関して、少なくとも上記第１の基板および上記第２の基板が配置された範囲を連続的に占めていることを特徴とする。
【００３３】
この一実施形態の血圧計では、上記電池は、上記厚さ方向に関して、少なくとも上記第１の基板および上記第２の基板が配置された範囲を連続的に占めている。したがって、上記電池の厚さ方向寸法を比較的大きく設定できる。この結果、電池容量を増大できる。
【００３４】
一実施形態の血圧計では、上記第１の基板、上記ポンプ、上記第２の基板、および上記電池が、全体として直方体状の輪郭をもつ外形をなしていることを特徴とする。
【００３５】
この一実施形態の血圧計では、上記第１の基板、上記ポンプ、上記第２の基板、および上記電池が、全体として直方体状の輪郭をもつ外形をなしている。つまり、これらの要素がコンパクトに組み立てられている。この結果、製品の小型化がさらに推進される。
【発明の効果】
【００３６】
以上より明らかなように、この発明の血圧計によれば、製品の小型化、特に平面方向の小型化を推進できる。
【図面の簡単な説明】
【００３７】
【図１Ａ】本発明の実施形態に係る血圧計１の外観を示す上面図である。
【図１Ｂ】図１ＡのＢ−Ｂ線に沿って切断したときの血圧計１の縦断面図である。
【図１Ｃ】図１ＡのＡ−Ａ線に沿って切断したときの血圧計１の縦断面図である。
【図２】図１の血圧計１の底面図である。
【図３】図１の血圧計１を環状に構成したときの状態を示す斜視図である。
【図４】図３の血圧計１をベルトの環に対して垂直な方向から見たところを示す図である。
【図５】図１Ａの血圧計１の構造を説明するための分解斜視図である。
【図６Ａ】図５のバックル３０の動作における第１の状態を説明するための概略斜視図である。
【図６Ｂ】図５のバックル３０の動作における第２の状態を説明するための概略斜視図である。
【図７Ａ】図１の血圧計１を手首に装着して測定する第１の手順を説明するための概略図である。
【図７Ｂ】図１の血圧計１を手首に装着して測定する第２の手順を説明するための概略図である。
【図７Ｃ】図１の血圧計１を手首に装着して測定する第３の手順を説明するための概略図である。
【図８】図１の血圧計１の内部の制御系の構成を概略的に示すブロック図である。
【図９】図１の血圧計１が実行する血圧測定処理を示すフローチャートである。
【図１０Ａ】図５中の本体アセンブリ１２を拡大して示す図である。
【図１０Ｂ】本体アセンブリ１２を図１０Ａにおける下方から見たところを示す図である。
【図１１】図１０Ａの本体アセンブリ１２を分解状態で示す図である。
【図１２】血圧計１が組み立てられた状態でのサブアセンブリ１２′と流体袋２２との位置関係を示す斜視図である。
【図１３】図１２中のサブアセンブリ１２′と流体袋２２とが厚さ方向（Ｚ方向）に関して離間した状態を示す図である。
【図１４】血圧計１における第１の流体経路４１、第２の流体経路４２の構成を、サブアセンブリ１２′と流体袋２２との間に介在する下ハウジング１３を含めて詳細に示す、圧力センサ１６を通るＺＸ断面図である。
【図１５】血圧計１における第２の流体経路４２の構成を、サブアセンブリ１２′と流体袋２２との間に介在する下ハウジング１３を含めて詳細に示す、圧力センサ１６を通るＹＺ断面図である。
【図１６】図１６（Ａ）は、血圧計１の組み立て前の、ＦＰＣケーブル６３によって互いに接続された上基板６１と下基板６２を展開状態で示す図であって、上基板６１の上面６１ａと下基板６２の下面６２ｂを示すものである。図１６（Ｂ）は、血圧計１の組み立て前の、ＦＰＣケーブル６３によって互いに接続された上基板６１と下基板６２を展開状態で示す図であって、図１６（Ａ）の裏側に相当するものである。
【図１７】上基板６１の上面６１ａに搭載されている圧力センサ１６近傍の態様を模式的に示す図である。
【図１８】上基板６１の下面６１ｂに搭載されている圧力センサ１６′近傍の態様を模式的に示す図である。
【発明を実施するための形態】
【００３８】
以下、この発明の実施の形態を、図面を参照しながら詳細に説明する。なお、以下の各実施形態において、同様の構成要素については同一の符号を付して説明を省略する。
【００３９】
図１Ａは本発明の実施形態に係る血圧計１の外観を示す上面図であり、図１Ｂは図１ＡのＢ−Ｂ線に沿って切断したときの血圧計１の縦断面図であり、図１Ｃは図１ＡのＡ−Ａ線に沿って切断したときの血圧計１の縦断面図である。また、図２は図１の血圧計１の底面図であり、図３は図１の血圧計１を被測定部位に取り巻いて装着するときの状態を示す斜視図であり、図４は図３の血圧計１をベルトの環に対して垂直な方向から見たところを示す図であり、図５は図１Ａの血圧計１の構造を説明するための分解斜視図である。
【００４０】
図３によって分かるように、血圧計１は、棒状の例えばユーザの手首９０（図７Ａ〜図７Ｃ参照）などの被測定部位を取り巻いて装着され、被測定部位を取り巻くべき帯状のベルト２０と、ベルト２０の外面側で長手方向に関して基端部ａに配置された、血圧を測定する要素を搭載した本体１０と、ベルト２０が環状になるように、ベルト２０の長手方向に関して基端部ａと反対側の先端部ｂとを連結するためのバックル３０とを備えている。ここで、ベルト２０は血圧測定用カフとしての役割を担う。以下にベルト２０の構造について説明する。
【００４１】
図１Ｂによって分かるように、ベルト２０は、血圧測定時に被測定部位を圧迫するための流体袋２２と、流体袋２２の外面に沿って設けられ、この流体袋２２の外側への膨張を抑制するための補強層２３と、補強層２３の外面に沿って設けられ、この補強層２３を被覆する外周層２４とを含む。従って、流体袋２２の外側への膨張を抑制することができるので、被測定部位に対する圧迫効率を向上させることができ、血圧の測定精度をより高めることができる。一方、流体袋２２の表面（装着時に内面となる）は、長手方向に沿って複数の凹凸を有し、被測定部位側へ容易に膨張できるようになっている。
【００４２】
補強層２３の硬度、外周層２４の硬度、及び流体袋２２の硬度の順に小さくなる。従って、流体袋２２が膨張するときに補強層２３が流体袋２２の外側への膨張を抑制することができるので、被測定部位に対する圧迫効率を向上させることができる。従って、血圧の測定精度をより高めることができる。さらに、補強層２３の外周に補強層２３の硬度よりも小さい硬度を有する外周層２４を被覆するので、ユーザがベルト２０の外周層２４を手に触れても柔らかい。
【００４３】
図１Ａ，Ｂ及び図３によって良く分かるように、ベルト２０の外面側で長手方向に関して本体１０が配置された特定部（この例では基端部ａ）とは異なる部位（この例では略中央部）に、生体情報測定の指示を入力するための血圧測定スイッチ５２Ｂを含む操作部が配置されている。また、図５中に示すように、本体１０は、枠状の上ハウジング１１と、この上ハウジング１１と組み合わされる下ハウジング１３と、それらの上ハウジング１１と下ハウジング１３との間に収容される本体アセンブリ１２とを含んでいる。本体アセンブリ１２は、上ハウジング１１の枠に嵌合される表示器５０を含んでいる。流体袋２２と補強層２３との間に、本体１０と操作部５２とを電気的に接続するＦＰＣ（Ｆｌｅｘｉｂｌｅ  Ｐｒｉｎｔｅｄ  Ｃｉｒｃｕｉｔｓ）ケーブル５４が介挿されている。このように、本体１０と操作部５２とがＦＰＣケーブル５４によって電気的に接続されているので、ベルト２０を薄厚に構成できる。なお、本実施形態では、操作部のみが配置されているが、本発明はこれに限定されず、通信部、表示部が配置されてもよい。
【００４４】
図２によって分かるように、ベルト２０の基端部ａの内面側には磁石３３が備えられ、第２板枠部材３０ｂにはこの磁石３３に吸着する金属製の突起部３１が備えられて、吸着機構を構成している。この吸着機構によって、ベルト２０の基端部ａの内面側または第１板枠部材３０ａの一端部ｄと、第２板枠部材３０ｂの他端部ｈとを互いに吸着させることが可能となる。従って、本体１０とバックル３０の第１板枠部材３０ａと第２板枠部材３０ｂとを互いに折り畳む際に、本体１０の内面、バックル３０の第１板枠部材３０ａおよび第２板枠部材３０ｂが重なるように誘導される。
【００４５】
なお、上記吸着機構に加えて、または、上記吸着機構に代えて、ベルト２０の基端部ａの内面側または第１板枠部材３０ａの一端部ｄと、第２板枠部材３０ｂの他端部ｈとを互いに係合させるロック機構を備えるのが望ましい。また、これらの吸着機構および／またはロック機構は、その吸着および／または係合を解除するためのアンロック機構を含むのが望ましい。この例では、本体１０に、アンロック機構として吸着を解除するリリースボタン１９（図１Ａ、図２、図５参照）が設けられている。図５に示すように、リリースボタン１９にはスライド板１９ａが一体に形成されている。このリリースボタン１９が本体１０内へ向かって押されると、スライド板１９ａが図６Ｂ中に示す第１板枠部材３０ａの一端部ｄと第２板枠部材３０ｂの他端部ｈとの間に楔のように入り込んで、第１板枠部材３０ａと第２板枠部材３０ｂとの吸着を解除する。
【００４６】
図６Ａ、図６Ｂに示すように、第２板枠部材３０ｂの他端部ｈの内面には凸状の形状である係合部３２を有する第１固定要素が設けられるとともに、図１Ａ、図１Ｂ、図５に示すように、ベルト２０の先端部ｂの外面には係合部３２と係合し得る凹状の形状である被係合部２５を有する第２固定要素が設けられている。これにより、図３、図４に示すように、第２板枠部材３０ｂとベルト２０の先端部ａとを係合して、ベルト２０を環状にすることができる。従って、血圧計１を被測定部位に固定することが可能となる。さらに、ベルト２０の先端部ａの外面には当該凸状の第１固定要素（係合部３２）と係合し得るように構成された非貫通である凹状の第２固定要素（被係合部２５）が設けられているので、流体袋２２に対してこれらの固定要素が干渉することがなくなる。従って、血圧測定時に流体袋２２によって被測定部位としての手首９０を確実に圧迫することができる。
【００４７】
なお、本実施形態では、第１固定要素として凸状の形状を用い第２固定要素として凹状の形状を用いたが、本発明はこれに限定されない。例えば、第１固定要素として凹状の形状を用い第２固定要素として凸状の形状を用いてもよい。この場合においても本実施形態と同様の効果を得ることができる。
【００４８】
図１Ａ、図１Ｂ、図５によって良く分かるように、被係合部２５は、ベルト２０の長手方向に関して第２板枠部材３０ｂの他端部ｈの取り付け位置を調整可能にするように、ベルト２０の長手方向に沿って複数並べて形成されている。従って、ベルト２０の長手方向に関して第２板枠部材３０ｂの他端部ｈ（図６Ｂ参照）の取り付け位置を調整することが可能となる。これにより、被測定部位としての手首９０の周囲長に丁度合うように、ベルト２０の環の長さを可変して設定できる。
【００４９】
また、被係合部２５は、ベルト２０の幅方向に沿って複数（この例では２つ）並べて形成されている。従って、ベルト２０が多少ねじられたとしても、係合部３２と被係合部２５との係合がはずれにくくなる。
【００５０】
また、ベルト２０のうち少なくとも先端部ｂの外面は可撓性を有する材料からなる。従って、係合部３２と被係合部２５との係合の解除が容易となる。なお、ユーザが係合部３２と被係合部２５との係止を解除する取り外し機構（図示せず）を備えてもよい。この場合には、ベルト２０が手首９０に装着された状態で、ユーザは、この取り外し機構によって係合部３２と被係合部２５の係止を解除することができる。したがって、ベルト２０の取り外しがより容易になる。
【００５１】
図６Ａは図５のバックル３０の動作における第１の状態を説明するための概略斜視図であり、図６Ｂは図５のバックル３０の動作における第２の状態を説明するための概略斜視図である。
【００５２】
バックル３０は、ベルト２０の基端部ａの内面側で、ベルト２０の長手方向に対して交差する軸ｃの周りに回動可能に一端部ｄで取り付けられた第１板枠部材３０ａを備え、この第１板枠部材３０ａは一端部ｄから反対側の他端部ｅへ板状に湾曲して延在する。また、第１板枠部材３０ａの他端部ｅに、軸ｃと平行な軸ｆの周りに回動可能に一端部ｆで取り付けられた第２板枠部材３０ｂを備え、この第２板枠部材３０ｂは一端部ｇから反対側の他端部ｈへ板状に湾曲して延在する。
【００５３】
さらに、この第２板枠部材３０ｂの他端部ｈがベルト２０の先端部ｂに取り付け可能に構成され、第１板枠部材３０ａ、第２板枠部材３０ｂは、それぞれその部材を板面に対して貫通する第１開口部ＯＰ１、第２開口部ＯＰ２を有する。ここで、本体１０の内面、バックル３０の第１板枠部材３０ａおよび第２板枠部材３０ｂが重なるように折り畳まれた状態で、第１板枠部材３０ａの第１開口部ＯＰ１と第２板枠部材３０ｂの第２開口部ＯＰ２とが本体１０の厚さ方向に連なる。
【００５４】
従って、本体１０の内側に被測定部位を圧迫するように流体袋２２を配置する構成が可能となる。
【００５５】
第１開口部ＯＰ１は第１板枠部材３０ａの他端部ｅ側へ向かって開くとともに、第２開口部ＯＰ２は第２板枠部材３０ｂの一端部ｇ側へ向かって開いて、第１開口部ＯＰ１と第２開口部ＯＰ２とが連通している。つまり、第１板枠部材３０ａと第２板枠部材３０ｂとは、略コの字状に形成され、互いに開口部が開いた側で連結されている。また、図２によって良く分かるように、ベルト２０内にベルト２０の長手方向に沿って、血圧測定時に被測定部位を圧迫するための流体袋２２が設けられ、この流体袋２２は、折り畳まれた状態で、第１開口部ＯＰ１と第２開口部ＯＰ２とに対応する領域を通して本体１０内に連通している。
【００５６】
この構成により、被測定部位としての手首９０のうち、周方向に関して、本体１０の内側に対応する部分からベルト２０の先端部ｂへ向かって空間的に連続した領域を、流体袋２２で圧迫することができる。従って、流体袋２２と被測定部位との接触する面積をより大きくすることができるので、動脈への圧迫効率を向上させることができる。従って、血圧の測定精度をより高めることができる。
【００５７】
また、流体袋２２は、長手方向に沿って、ベルト２０の先端部ｂまで延在する。そして、本体１０の内面、バックル３０の第１板枠部材３０ａおよび第２板枠部材３０ｂが重なるように折り畳まれた状態で、本体１０の流体袋２２が連通する部分はベルト２０の流体袋２２が延在する部分とオーバーラップする。
【００５８】
この構成により、ベルト２０のうち長手方向に関して上記オーバーラップする領域は本体１０のそれ以外の領域の厚さ分よりも大きい厚さ分だけ膨張する。従って、手首９０に存する動脈がオーバーラップする領域以外の領域によって押されて逃げる距離が少なくなって、動脈を押しつぶすための余計な加圧量が減る。この結果、上記流体袋の加圧によって測定された血圧の測定値を真の値に近づけることができ、測定精度を高めることができる。なお、この動脈を押しつぶすための余計な加圧量を減らすことができる効果は、バックル３０において、第１板枠部材３０ａの第１開口部ＯＰ１と第２板枠部材３０ｂの第２開口部ＯＰ２とが省略された場合にも得られる。
【００５９】
図７Ａ〜図７Ｃは図１の血圧計１を手首に装着して測定する手順を説明するための概略図である。実際に血圧計１を手首９０に装着する際には、図７Ａに示すように、ユーザはまず、本体１０とバックル３０の第１板枠部材３０ａと第２板枠部材３０ｂとが互いに開いた状態で、ベルト２０を手首９０に沿わせる。そして、第２板枠部材３０ｂの第２開口部ＯＰ２（図６Ａ及び図６Ｂ参照）内にベルト２０の先端部ｂを通して第２板枠部材３０ｂの係合部３２とベルト２０の先端部ｂ側にある被係合部２５とを係合させる。これにより、ベルト２０を環状にするとともに、ベルト２０の環に手首９０を通した状態にする。このようにして、手首９０の周囲長に丁度合うように、ベルト２０の環の長さを設定する。
【００６０】
次に、図７Ｂに示すように、本体１０を手首９０側に近づけて本体１０の内面、バックル３０の第１板枠部材３０ａおよび第２板枠部材３０ｂが重なるように折り畳んでいく。すると、第２板枠部材３０ｂの突起部３１が磁石３３に吸着されて血圧計１の手首９０への装着が完了する。続けて、図７Ｃに示すように、ユーザは血圧測定スイッチ５２Ｂを押すと血圧の測定が開始される。
【００６１】
図８は図１の血圧計１の内部構成を概略的に示すブロック図である。本体１０には、上述の表示器５０と操作部５２に加えて、ＣＰＵ（Ｃｅｎｔｒａｌ  Ｐｒｏｃｅｓｓｉｎｇ  Ｕｎｉｔ）１００と、メモリ５１と、電池５３と、ピエゾ抵抗式の圧力センサ１６と、流体袋２２に流体としての空気を供給する圧電ポンプ１７と、圧電ポンプ１７の吐出側の圧力（背圧）を調節するための弁１８と、圧力センサ１６からの出力を周波数に変換する発振回路１６０と、圧電ポンプ１７を駆動するポンプ駆動回路１７０と、弁１８を駆動する弁駆動回路１８０とが搭載されている。圧電ポンプ１７と弁１８は第１の流体経路４１を介して、また、圧力センサ１６は第２の流体経路４２を介して、それぞれベルト２０に内包された流体袋２２と接続されている。これにより、圧電ポンプ１７、弁１８と、流体袋２２との間で、第１の流体経路４１を介して空気が流通するようになっている。また、圧力センサ１６と、流体袋２２との間で、第２の流体経路４２を介して空気が流通するようになっている。
【００６２】
表示器５０は、ディスプレイおよびインジケータ等を含み、ＣＰＵ１００からの制御信号に従って所定の情報を表示する。
【００６３】
操作部５２では、電源スイッチ５２Ａは、電池５３からの電力供給をオンオフする指示および血圧の測定開始の指示を受け付ける。血圧測定スイッチ５２Ｂは、メモリ５１に記憶された血圧値の測定結果のデータを表示器５０に表示させるための指示を受け付ける。これらのスイッチ５２Ａ，５２Ｂは、ユーザによる指示に応じた操作信号をＣＰＵ１００に入力する。
【００６４】
メモリ５１は、血圧計１を制御するためのプログラム、血圧計１の各種機能を設定するための設定データ、血圧値の測定結果のデータを記憶する。また、メモリ５１は、プログラムが実行されるときのワークメモリなどとして用いられる。
【００６５】
電池５３は、この例では２次電池（リチウムイオン電池）からなり、ＣＰＵ１００、圧力センサ１６、圧電ポンプ１７、弁１８、表示器５０、メモリ５１、発振回路１６０、ポンプ駆動回路１７０、および弁駆動回路１８０の各部に電力を供給する。この電池５３は、後述のＵＳＢ（Ｕｎｉｖｅｒｓａｌ  Ｓｅｒｉａｌ  Ｂｕｓ）端子５５（例えば図１０Ｂ参照）を介して充電可能になっている。
【００６６】
ＣＰＵ１００は、メモリ５１に記憶された血圧計１を制御するためのプログラムに従って制御部として働いて、操作部５２からの操作信号に応じて、ポンプ駆動回路１７０を介して圧電ポンプ１７を駆動するとともに、弁駆動回路１８０を介して弁１８を駆動する制御を行う。弁１８は、流体袋２２の空気を排出し、または封入して流体袋２２内の圧力（カフ圧）を制御するために開閉される。また、ＣＰＵ１００は、圧力センサ１６からの信号に基づいて、血圧値を算出し、表示器５０およびメモリ５１を制御する。
【００６７】
圧電ポンプ１７は、ベルト２０に内包された流体袋２２内の圧力（カフ圧）を加圧するために、流体袋２２に第１の流体経路４１を介して空気を供給する。弁１８は、流体袋２２の空気を第１の流体経路４１を介して排出し、または封入してカフ圧を制御するために開閉される。ポンプ駆動回路１７０は、圧電ポンプ１７をＣＰＵ１００から与えられる制御信号に基づいて駆動する。弁駆動回路１８０は、弁１８をＣＰＵ１００から与えられる制御信号に基づいて開閉する。
【００６８】
圧力センサ１６及び発振回路１６０は、カフ圧を検出する圧力検出部として動作する。圧力センサ１６は、例えば、ピエゾ抵抗式圧力センサであり、流体袋２２から第２の流体経路４２を介して空気を導入し、導入した空気の圧力をカフ圧として検出する。この例では、発振回路１６０は、圧力センサ１６からのピエゾ抵抗効果による電気抵抗の変化に基づく電気信号値に基づき発振して、圧力センサ１６の電気信号値に応じた周波数を有する周波数信号をＣＰＵ１００に出力する。なお、この例では、発振回路１６０はＣＰＵ１００に含まれ、発振回路１６０の機能はＣＰＵ１００が実行するプログラムによって実現されるものとする。
【００６９】
以上のように構成された血圧計１の動作について以下に説明する。
【００７０】
図９は図１の血圧計１が実行する血圧測定処理を示すフローチャートである。一般的なオシロメトリック法に従って血圧を測定する場合、概ね、次のような動作が行なわれる。すなわち、ユーザの被測定部位（手首など）に予めカフを巻き付けておき、測定時には、ポンプ及び弁を制御して、カフ圧を最高血圧より高く加圧し、その後徐々に減圧していく。この減圧する過程において、カフ圧を圧力センサで検出し、被測定部位の動脈で発生する動脈容積の変動を脈波信号として取り出す。その時のカフ圧の変化に伴う脈波信号の振幅の変化（主に立ち上がりと立ち下がり）に基づいて、最高血圧（収縮期血圧：Ｓｙｓｔｏｌｉｃ  Ｂｌｏｏｄ  Ｐｒｅｓｓｕｒｅ）と最低血圧（拡張期血圧：Ｄｉａｓｔｏｌｉｃ  Ｂｌｏｏｄ  Ｐｒｅｓｓｕｒｅ）とを算出する。
【００７１】
この血圧計１では、ＣＰＵ１００によって、図９のフローに従ってオシロメトリック法によりユーザの血圧値が測定される。
【００７２】
具体的には、電源スイッチ５２ＡがＯＮされた状態で血圧測定スイッチ５２Ｂが押されると、図９に示すように、血圧計１は血圧測定を開始する。血圧測定開始に際して、ＣＰＵ１００は、処理用メモリ領域を初期化し、弁駆動回路１８０に制御信号を出力する。弁駆動回路１８０は、制御信号に基づいて、弁１８を開放してベルト２０の流体袋２２内の空気を排気する。続いて、圧力センサ１６の０ｍｍＨｇの調整を行う制御を行う。
【００７３】
図９において、血圧測定を開始すると、まず、ＣＰＵ１００は、弁駆動回路１８０を介して弁１８を閉鎖し、その後、ポンプ駆動回路１７０を介して圧電ポンプ１７を駆動して、流体袋２２に空気を送る加圧処理を行う。これにより、流体袋２２を膨張させるとともにカフ圧を徐々に加圧していく（ステップＳＴ１０１）。
【００７４】
カフ圧が加圧されて所定の圧力に達すると（ステップＳＴ１０２でＹＥＳ）、ＣＰＵ１００は、ポンプ駆動回路１７０を介して圧電ポンプ１７を停止し、その後、弁駆動回路１８０を介して弁１８を徐々に開放する制御を行う。これにより、流体袋２２を収縮させるとともにカフ圧を徐々に減圧していく（ステップＳＴ１０３）。
【００７５】
ここで、所定の圧力とは、ユーザの収縮期血圧よりも十分高い圧力（例えば、収縮期血圧＋３０ｍｍＨｇ）であり、予めメモリ５１に記憶されているか、カフ圧の加圧中にＣＰＵ１００が収縮期血圧を所定の算出式により推定して決定する（例えば特開２００１−７０２６３号公報参照。）。
【００７６】
また、減圧速度については、カフの加圧中に目標となる目標減圧速度を設定し、その目標減圧速度になるようにＣＰＵ１００が弁１８の開口度を制御する（同公報参照。）。
【００７７】
上記減圧過程において、ベルト２０を介して、ベルト２０の圧力を表すカフ圧信号（符号Ｐｃで表す。）を圧力センサ１６が検出する。ＣＰＵ１００は、このカフ圧信号Ｐｃに基づいて、オシロメトリック法により後述のアルゴリズムを適用して血圧値（収縮期血圧と拡張期血圧）を算出する（ステップＳＴ１０４）。なお、血圧値の算出は、減圧過程に限らず、加圧過程において行われてもよい。
【００７８】
血圧値を算出して決定すると（ステップＳＴ１０５でＹＥＳ）、ＣＰＵ１００は、算出した血圧値を表示器５０へ表示し（ステップＳＴ１０６）、血圧値をメモリ５１へ保存する制御を行う（ステップＳＴ１０７）。
【００７９】
次に、ＣＰＵ１００は、弁駆動回路１８０を介して弁１８を開放し、ベルト２０の流体袋２２内の空気を排気する制御を行う（ステップＳＴ１０８）。
【００８０】
この後、上記電源スイッチ５２Ａが押されると、血圧測定を終了する。
【００８１】
この血圧計１を手首９０から取り外す場合は、ユーザは、バックル３０の第１板枠部材３０ａと第２板枠部材３０ｂとを開き、ベルト２０の環を大きくした状態で、ベルト２０から手首９０を取り出す。
【００８２】
２回目の以降の装着の際は、バックル３０の第１板枠部材３０ａと第２板枠部材３０ｂとを開いた状態で、ベルト２０の環に手首９０を通し、バックル３０を閉じればよい。したがって、ユーザは血圧計１を手首９０に容易に装着することができる。
【００８３】
図１０Ａは、図５中に示した本体アセンブリ１２を拡大して示している。また、図１０Ｂは、本体アセンブリ１２を図１０Ａにおける下方から見たところを示している。また、図１１は、図１０Ａの本体アセンブリ１２を分解状態で示している。図１１では、被測定部位としての手首９０の外周面に垂直な方向（本体アセンブリ１２の厚さ方向）をＺ方向とし、ベルト２０の幅方向に相当する方向をＸ方向とし、ベルト２０の長手方向に相当する方向をＹ方向として、ＸＹＺ直交座標系を併せて表している（後述の図１２〜図１５、図１６（Ｂ）、図１７、図１８において同様。）。
【００８４】
図１１によって良く分かるように、本体アセンブリ１２は、略中央に、第１の基板としての上基板６１と、この上基板６１に対してＺ方向に関して対向して組み合わされた第２の基板としての下基板６２とを含む、サブアセンブリ１２′を備えている。上基板６１は、下基板６２に対してＺ方向に関して一定の間隔をもつようにスペーサ（図示せず）を介して、ネジ６５等によって下基板６２に取り付けられている。なお、「上基板」、「下基板」（および後述の「上面」、「下面」）は、説明の便宜のための呼称であり、血圧計１の使用時における向きを制限するものではない。
【００８５】
上基板６１には、既述の圧力センサ１６と、ＣＰＵ１００（発振回路１６０を含む。）と、メモリ５１と、配線が搭載されている（簡単のため、図１１中には圧力センサ１６のみを図示している。）。下基板６２には、既述の圧電ポンプ１７と、ポンプ駆動回路１７０と、弁１８と、弁駆動回路１８０と、配線が搭載されている（簡単のため、図１１中には圧電ポンプ１７、ポンプ駆動回路１７０のみを示している。）。上基板６１の配線と下基板６２の配線とは、ＦＰＣケーブル６３によって互いに接続されている。
【００８６】
上基板６１のＸ方向寸法は下基板６２のＸ方向寸法の略半分に設定されている。これにより、上基板６１は、下基板６２のうちＸ方向に関して＋Ｘ側の略半分の領域にのみ対向している。圧電ポンプ１７は、直方体状の外形をもつ主部１７ｐを含み、下基板６２のうちＸ方向に関して−Ｘ側の略半分の領域に搭載されている。この圧電ポンプ１７は、上基板６１を越える高さを有し、その結果、平面方向（ＸＹ方向）に関して上基板６１の−Ｘ側に隣り合った位置に配置されている。
【００８７】
サブアセンブリ１２′のうちＹ方向に関して−Ｙ側の略半分の領域は、枠状の電池ホルダ５３Ｆが占めている。この電池ホルダ５３Ｆには、直方体状の外形をもつ電池５３が−Ｚ方向から嵌合して装着される。これにより、上基板６１、圧電ポンプ１７、下基板６２、および、装着された電池５３が、全体として直方体状の輪郭をもつ外形をなす。これらの要素がコンパクトに組み立てられている結果、製品の小型化を推進できる。
【００８８】
本体アセンブリ１２は、さらに、上基板６１の＋Ｙ側の縁部に取り付けられたＵＳＢ基板５５Ｐを備えている。このＵＳＢ基板５５Ｐは、ＵＳＢ端子５５と図示しない配線を搭載している。ＵＳＢ基板５５Ｐの配線は、ＦＰＣケーブル５５Ｆを介して、上基板６１の配線に接続されている。
【００８９】
また、本体アセンブリ１２は、下基板６２の＋Ｙ側の縁部に、−Ｚ方向に斜めに傾斜して取り付けられた板状の連結部材５２Ｇを備えている。この連結部材５２Ｇは２つに分岐した先端５２Ｇ１，５２Ｇ２を有している。これらの先端５２Ｇ１，５２Ｇ２にまたがって、電源スイッチ５２Ａと図示しない配線とを搭載したスイッチ基板５２Ｐが取り付けられている。スイッチ基板５２Ｐの配線は、ＦＰＣケーブル５２Ｆを介して、下基板６２の配線に接続されている。
【００９０】
また、本体アセンブリ１２は、外側（＋Ｚ側）に装着された略平板状の表示器（この例では、有機ＥＬ（Ｅｌｅｃｔｒｏ  Ｌｕｍｉｎｅｓｃｅｎｃｅ）ディスプレイからなる）５０を備えている。表示器５０は、その周縁に沿って、矩形の枠状のガラスフレーム５０ｅを有しており、裏面には金属板５０ｃを有している。また、表示器５０の＋Ｙ側の縁部には、ＦＰＣケーブル５０Ｆが取り付けられている。このＦＰＣケーブル５０Ｆは、連結部材５２Ｇとスイッチ基板５２Ｐとが作る隙間５２Ｇｗ（図１０Ａ参照）を通して、下基板６２の配線に接続されている。
【００９１】
このように、図１０Ａ、図１０Ｂに示す本体アセンブリ１２は、略直方体状にコンパクトに構成されている。
【００９２】
図１２は、血圧計１が組み立てられた状態でのサブアセンブリ１２′と流体袋２２との位置関係を斜めから見たところを示している。また、図１３は、図１２中のサブアセンブリ１２′と流体袋２２とがＺ方向に関して離間した状態（組み立て前の状態）を示している。なお、理解の容易のため、図１２、図１３では、下ハウジング１３の図示が省略されている。流体袋２２は、この流体袋２２内への流体としての空気の供給、または、流体袋２２からの空気の排出を許容するための円筒状のニップル３８１，３８２を有している。
【００９３】
図１３によって良く分かるように、圧力センサ１６は、上基板６１の上面６１ａに、略直方体状のセンサパッケージ１６ｐに収容された状態で搭載されている。この例では、圧力センサ１６は、センサパッケージ１６ｐに一体成形された略円筒状の導入管１６ｄと、センサパッケージ１６ｐの側面から突出したリード端子１６ｅ，１６ｆとを有している。リード端子１６ｅ，１６ｆは、上基板６１上の図示しない配線に接続されている。導入管１６ｄは、センサパッケージ１６ｐの底面（上基板６１に近い側の面）１６ｂから、上基板６１に設けられた貫通孔６１ｘと、下基板６２に設けられた逃げ部としての貫通孔６２ｘとを通して、流体袋２２へ向かって−Ｚ方向にストレートに延在している。この導入管１６ｄは、既述の第２の流体経路４２の周壁の一部を構成する。導入管１６ｄの周りには、気密封止のためのＯリング３９４が圧力嵌めされている。なお、センサパッケージ１６ｐと導入管１６ｄとは、互いに別に形成され、接着等により一体になっていてもよい。
【００９４】
圧電ポンプ１７は、下基板６２に搭載され、既述のように、平面方向（ＸＹ方向）に関して上基板６１の−Ｘ側に隣り合った位置に配置されている。圧電ポンプ１７は、直方体状の外形をもつ主部１７ｐと、この主部１７ｐに一体成形された略円筒状の吐出管１７ｄとを有している。吐出管１７ｄは、主部１７ｐの底面から、下基板６２に設けられた別の逃げ部としての貫通孔６２ｗを通して、流体袋２２へ向かって−Ｚ方向にストレートに延在している。この吐出管１７ｄは、既述の第１の流体経路４１の周壁の一部を構成する。吐出管１７ｄの周りには、気密封止のためのＯリング３９３が圧力嵌めされている。
【００９５】
図１２によって良く分かるように、血圧計１が組み立てられた状態では、第１の流体経路４１、第２の流体経路４２を構成すべく、圧電ポンプ１７の吐出管１７ｄ、圧力センサ１６の導入管１６ｄの周りに、下基板６２に設けられた貫通孔６２ｗ，６２ｘを通して、それぞれ流体袋２２のニップル３８１，３８２が、Ｚ方向に関してオーバラップした状態になる。なお、下基板６２における逃げ部としての貫通孔６２ｗ，６２ｘの内径は、それぞれ後述の下ハウジング１３の外周円筒部３９１ａ，３９２ａの外径よりも若干大きく設定されている。
【００９６】
図１４は、第１の流体経路４１、第２の流体経路４２の構成を、サブアセンブリ１２′と流体袋２２との間に介在する下ハウジング１３を含めて、圧力センサ１６を通るＺＸ断面によって詳細に示している。また、図１５は、第２の流体経路４２の構成を、サブアセンブリ１２′と流体袋２２との間に介在する下ハウジング１３を含めて、圧力センサ１６を通るＹＺ断面によって詳細に示している。
【００９７】
図１４によって良く分かるように、下ハウジング１３は、この下ハウジング１３の底壁１３ｂのうち、それぞれ圧電ポンプ１７の吐出管１７ｄ、圧力センサ１６の導入管１６ｄに対応する位置に、２重円筒部３９１，３９２を有している。
【００９８】
２重円筒部３９１は、底壁１３ｂから＋Ｚ方向に立ち上がる外周円筒部３９１ａと、この外周円筒部３９１ａと同心で、底壁１３ｂを貫通してＺ方向に延びる内周円筒部３９１ｃと、これらの外周円筒部３９１ａ、内周円筒部３９１ｃの上縁同士をつなぐ平坦な環状の連結板部３９１ｂとを含んでいる。内周円筒部３９１ｃの内周側には、Ｚ方向に関して略中央の位置に、径（内径）を狭くするように環状の係止板部３９１ｆが突設されている。係止板部３９１ｆの内周縁３９１ｅの径（内径）は、圧電ポンプ１７の吐出管１７ｄの外径よりも若干だけ大きく設定されている。また、内周円筒部３９１ｃの内径は、Ｏリング３９３の外径よりもよりも若干だけ小さく設定されている。内周円筒部３９１ｃの外径は、ニップル３８１の内径よりも若干だけ大きく設定されている。内周円筒部３９１ｃと外周円筒部３９１ａとの間の径方向の間隔は、そこに流体袋２２のニップル３８１が挿入されるのを許容するように、流体袋２２のニップル３８１の肉厚よりも十分大きく設定されている。
【００９９】
同様に、２重円筒部３９２は、底壁１３ｂから＋Ｚ方向に立ち上がる外周円筒部３９２ａと、この外周円筒部３９２ａと同心で、底壁１３ｂを貫通してＺ方向に延びる内周円筒部３９２ｃと、これらの外周円筒部３９２ａ、内周円筒部３９２ｃの上縁同士をつなぐ平坦な環状の連結板部３９２ｂとを含んでいる。内周円筒部３９２ｃの内周側には、Ｚ方向に関して略中央の位置に、径（内径）を狭くするように環状の係止板部３９２ｆが突設されている。係止板部３９２ｆの内周縁３９２ｅの径（内径）は、圧力センサ１６の導入管１６ｄの外径よりも若干だけ大きく設定されている。また、内周円筒部３９２ｃの内径は、Ｏリング３９４の外径よりもよりも若干だけ小さく設定されている。内周円筒部３９２ｃの外径は、ニップル３８２の内径よりも若干だけ大きく設定されている。内周円筒部３９２ｃと外周円筒部３９２ａとの間の径方向の間隔は、そこに流体袋２２のニップル３８２が挿入されるのを許容するように、流体袋２２のニップル３８２の肉厚よりも十分大きく設定されている。
【０１００】
これにより、血圧計１が組み立てられてサブアセンブリ１２′（本体アセンブリ１２）が下ハウジング１３に装着されている状態では、圧電ポンプ１７の吐出管１７ｄが、内周円筒部３９１ｃの係止板部３９１ｆの内周縁３９１ｅを−Ｚ方向に越える。これとともに、Ｏリング３９３が内周円筒部３９１ｃ内に圧入されて、吐出管１７ｄと内周円筒部３９１ｃとの間が気密に封止されている。また、圧力センサ１６の導入管１６ｄが、内周円筒部３９２ｃの係止板部３９２ｆの内周縁３９２ｅを−Ｚ方向に越える。これとともに、Ｏリング３９４が内周円筒部３９２ｃ内に圧入されて、導入管１６ｄと内周円筒部３９２ｃとの間が気密に封止されている。
【０１０１】
さらに、流体袋２２が下ハウジング１３に装着されている状態では、内周円筒部３９１ｃの外周に流体袋２２のニップル３８１が圧力嵌めされて、内周円筒部３９１ｃとニップル３８１との間が気密に封止されている。同様に、内周円筒部３９２ｃの外周に流体袋２２のニップル３８２が圧力嵌めされて、内周円筒部３９２ｃとニップル３８２との間が気密に封止されている。
【０１０２】
これにより、血圧計１が組み立てられた状態では、下ハウジング１３の底壁１３ｂの内周円筒部３９１ｃに対して、圧電ポンプ１７の吐出管１７ｄ、流体袋２２のニップル３８１がそれぞれ気密に取り付けられ、これにより、圧電ポンプ１７と流体袋２２との間でＺ方向に関してストレートに延在する第１の流体経路４１が構成されている。同様に、内周円筒部３９２ｃに対して、圧力センサ１６の導入管１６ｄ、流体袋２２のニップル３８２がそれぞれ気密に取り付けられ、これにより、圧力センサ１６と流体袋２２との間でＺ方向に関してストレートに延在する第２の流体経路４２が構成されている。
【０１０３】
ここで、仮に、圧力センサ１６の導入管１６ｄと流体袋２２のニップル３８２とが直接嵌合して取り付けられるものとすれば、組み立て時に、ニップル３８２から導入管１６ｄ、センサパッケージ１６ｐを介して圧力センサ１６に応力が加わって、圧力センサ１６の特性が損なわれるおそれがある。これに対して、この血圧計１では、底壁１３ｂの内周円筒部３９２ｃに対して、圧力センサ１６の導入管１６ｄ、流体袋２２に連通するニップル３８２が、それぞれ気密に取り付けられている。したがって、底壁１３ｂの内周円筒部３９２ｃに対する圧力センサ１６の導入管１６ｄの取り付けと、底壁１３ｂの内周円筒部３９２ｃに対する流体袋２２に連通するニップル３８２の取り付けとは、互いに独立して行われ得る。したがって、組み立て時に、ニップル３８２からの応力によって圧力センサ１６の特性が損なわれるおそれが無い。この結果、組み立ての信頼性が高まる。
【０１０４】
また、下基板６２における逃げ部としての貫通孔６２ｗ，６２ｘの内径は、上述のように、それぞれ後述の外周円筒部３９１ａ，３９２ａの外径よりも若干大きく設定されている。したがって、第１の流体経路４１、第２の流体経路４２に対して、下基板６２が干渉することがない。
【０１０５】
また、この例では、Ｚ方向に関して上基板６１と流体袋２２との間で、かつ、ＸＹ方向に関して、第１の流体経路４１、第２の流体経路４２の周りの空間ＳＰ１，ＳＰ２（図１２参照）に、圧電ポンプ１７に加えて血圧測定のための要素１７０，１８，１８０，…を搭載した下基板６２が配置されている。したがって、それらの空間ＳＰ１，ＳＰ２を下基板６２によって活用できる。この結果、製品の小型化、特に平面方向（ＸＹ方向）の小型化を推進できる。
【０１０６】
詳しくは、仮に、下基板６２が存在せず、下基板６２に搭載されるべき血圧測定のための要素１７，１７０，１８，１８０，…が上基板６１に搭載されるものとすれば、その分だけ（血圧測定のための要素が配置される領域の分だけ）、上基板６１のＸＹ方向の寸法は大きくならざるを得ない。これに対して、この血圧計１では、従来部品が配置されていなかった空間ＳＰ１，ＳＰ２を、下基板６２によって活用できる。この結果、上基板６１のＸＹ方向の寸法を小さくでき、ＸＹ方向の小型化を推進できる。
【０１０７】
また、図１５によって良く分かるように、この例では、電池５３は、Ｚ方向に関して、少なくとも上基板６１および下基板６２が配置された範囲ΔＺを連続的に占めている。この結果、電池５３の容量を増大できる。
【０１０８】
図１６（Ａ）、図１６（Ｂ）は、サブアセンブリ１２′の組み立て前の、ＦＰＣケーブル６３によって互いに接続された上基板６１と下基板６２を、展開状態で示している。図１６（Ａ）では、上基板６１の上面６１ａと下基板６２の下面６２ｂが示されている。図１６（Ｂ）では、図１６（Ａ）の裏側に相当する、上基板６１の下面６１ｂと下基板６２の上面６２ａが示されている。なお、サブアセンブリ１２′（本体アセンブリ１２）では、図１６（Ｂ）中に矢印Ｆで示すようにＦＰＣケーブル６３が折り曲げられて、下基板６２の上方に上基板６１が対向して配置される。図１６（Ａ）、図１６（Ｂ）中には、上基板６１に対してＦＰＣケーブル５５Ｆによって接続されたＵＳＢ基板５５Ｐと、下基板６２に対してＦＰＣケーブル５２Ｆによって接続されたスイッチ基板５２Ｐとが併せて図示されている。
【０１０９】
図１６（Ａ）によって良く分かるように、上基板６１では、圧力センサ１６が搭載された領域６１ｕにＣＰＵ１００（発振回路１６０を含む。）が搭載された領域６１ｖが隣り合っている。したがって、圧力センサ１６とＣＰＵ１００との間の配線が比較的短くなり、圧力センサ１６の出力にノイズが乗り難くなる。この結果、血圧測定の精度が高まる。なお、上基板６１は、略矩形状で、図１６（Ａ）において斜め右上方向に突出した島状部分６１ｓを有する。この島状部分６１ｓには、電池５３に対する接点電極５３ｓが設けられている。
【０１１０】
また、図１６（Ｂ）によって良く分かるように、略矩形状の下基板６２のうちポンプ駆動回路１７０が搭載された領域６２ｕは、平面方向（ＸＹ方向）に関して、上基板６１のうち圧力センサ１６が搭載された領域６１ｕから離間している（むしろ、図１２中に示す圧電ポンプ１７に対向している。）。さらに、ポンプ駆動回路１７０から圧電ポンプ１７へ駆動電流を送るために下基板６２と圧電ポンプ１７とを電気的に接続するリード線１７０ｅ（図１２参照）は、平面方向（ＸＹ方向）に関して、圧電ポンプ１７のうち圧力センサ１６に対して反対側の端部に接続されている。したがって、ポンプ駆動回路１７０およびリード線１７０ｅと圧力センサ１６との距離が大きくなり、圧電ポンプ１７を駆動する電流によりポンプ駆動回路１７０およびリード線１７０ｅで発生した熱が圧力センサ１６へ伝わり難い。この結果、圧力センサ１６の出力が発熱の影響を受けにくくなって、血圧測定の精度がさらに高まる。
【０１１１】
また、図１１および図１０Ａによって分かるように、組み立てられた本体アセンブリ１２では、上基板６１のうち少なくとも図１６（Ａ）中に示した圧力センサ１６が搭載された領域６１ｕおよびＣＰＵ１００が搭載された領域６１ｖは、厚さ方向（Ｚ方向）に関して、上基板６１よりも外側に配置された金属板５０ｃを有する表示器５０と、上基板６１よりも内側に配置された下基板６２とで遮蔽される。したがって、圧力センサ１６の出力にノイズがさらに乗り難くなる。この結果、血圧測定の精度がさらに高まる。
【０１１２】
上述の実施形態では、図１７に模式的に示すように、圧力センサ１６が、略直方体状のセンサパッケージ１６ｐに収容された状態で、上基板６１の上面６１ａに搭載されているものとした。しかしながら、これに限られるものではない。例えば図１８に示すように、圧力センサ１６′が、略直方体状のセンサパッケージ１６ｐ′に収容された状態で、上基板６１の下面６１ｂに搭載されているものとしてもよい。この場合、圧力センサ１６′のリード端子１６ｅ′，１６ｆ′は、上基板６１の下面６１ｂの図示しない配線に接続されている。導入管１６ｄ′は、センサパッケージ１６ｐ′の上基板６１から遠い側の面１６ａ′から、下基板６２に設けられた逃げ部としての貫通孔６２ｘを通して、流体袋２２へ向かって−Ｚ方向にストレートに延在している。この図１８の例でも、従来部品が配置されていなかった第２の流体経路４２の周りの空間ＳＰ２（および第１の流体経路４１の周りの空間ＳＰ１）を、下基板６２によって活用できる。この結果、上基板６１のＸＹ方向の寸法を小さくでき、ＸＹ方向の小型化を推進できる。
【０１１３】
また、上述の実施形態では、例えば図１２、図１３中に示したように、下基板６２に設けられた逃げ部は、いずれも下基板６２の板面内、すなわち平面方向（ＸＹ方向）に関して内部に設けられた貫通孔６２ｗ，６２ｘであるものとした。しかしながら、これに限られるものではない。下基板６２に設けられた逃げ部は、下基板６２の周縁に設けられた切り欠きであっても良い。
【０１１４】
また、上述の実施形態では、血圧計１の本体１０がベルト２０の長手方向に関して基端部ａに配置されているものとしたが、これに限られるものではない。本体１０は、ベルト２０の長手方向に関して、例えば中央部に配置されていてもよい。
【０１１５】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【０１１６】
１  血圧計
１０  本体
１６  圧力センサ
１７  圧電ポンプ
１８  弁
２０  ベルト
２２  流体袋
２３  補強層
２４  外周層
２５  被係合部
２９  シート
３０  バックル
３０ａ  第１板枠部材
３０ｂ  第２板枠部材
３１  突起部
３２  係合部
３３  磁石
４１  第１の流体経路
４２  第２の流体経路
５０  表示器
５１  メモリ
５２  操作部
５２Ａ  電源スイッチ
５２Ｂ  血圧測定スイッチ
５３  電池
６１  上基板
６２  下基板
６１ｘ，６２ｗ，６２ｘ  貫通孔
１６０  発振回路
１７０  ポンプ駆動回路
１８０  弁駆動回路
１００  ＣＰＵ
【図１Ａ】
2018000692.tif 000003
【図１Ｂ】
2018000692.tif 000004
【図１Ｃ】
2018000692.tif 000005
【図２】
2018000692.tif 000006
【図３】
2018000692.tif 000007
【図４】
2018000692.tif 000008
【図５】
2018000692.tif 000009
【図６Ａ】
2018000692.tif 000010
【図６Ｂ】
2018000692.tif 000011
【図７Ａ】
2018000692.tif 000012
【図７Ｂ】
2018000692.tif 000013
【図７Ｃ】
2018000692.tif 000014
【図８】
2018000692.tif 000015
【図９】
2018000692.tif 000016
【図１０Ａ】
2018000692.tif 000017
【図１０Ｂ】
2018000692.tif 000018
【図１１】
2018000692.tif 000019
【図１２】
2018000692.tif 000020
【図１３】
2018000692.tif 000021
【図１４】
2018000692.tif 000022
【図１５】
2018000692.tif 000023
【図１６】
2018000692.tif 000024
【図１７】
2018000692.tif 000025
【図１８】
2018000692.tif 000026
【手続補正書】
【提出日】平成29年5月17日(2017.5.17)
【手続補正１】
【補正対象書類名】特許請求の範囲
【補正対象項目名】全文
【補正方法】変更
【補正の内容】
【特許請求の範囲】
【請求項１】
被測定部位を取り巻いて装着される血圧計であって、
流体が供給される流体袋を含み、上記被測定部位を取り巻くべき帯状のベルトと、
上記ベルトの外面側に設けられた本体と、
上記本体の内部に配置された、上記流体袋に流体を供給可能なポンプと、
上記ポンプから上記流体袋へ流体を送り込み又は上記流体袋から流体を排出させる第１の流体経路と、
上記本体の内部に配置された第１の基板に、センサパッケージに収容された状態で搭載され、上記流体袋内の圧力を検知可能な圧力センサと、
上記流体袋から上記圧力センサへ流体を導入する第２の流体経路とを備え、
上記第２の流体経路は、上記センサパッケージと一体の導入管を周壁として含み、上記流体袋と上記圧力センサとの間でストレートに延在し、
厚さ方向に関して上記第１の基板と上記流体袋との間で、かつ、上記厚さ方向に対して垂直な平面方向に関して上記第２の流体経路と隣り合う空間に、血圧測定のための要素を搭載した第２の基板が配置されていることを特徴とする血圧計。
【請求項２】
請求項１に記載の血圧計において、
上記第２の基板は、上記平面方向に沿った板面内に、上記第２の流体経路を通すための逃げ部を含むことを特徴とする血圧計。
【請求項３】
請求項１または２に記載の血圧計において、
上記ポンプは、上記平面方向に関して上記第１の基板に隣り合った位置に配置され、
上記第１の流体経路は、上記ポンプが有する吐出管を周壁として含み、上記第２の流体経路と平行に上記ポンプと上記流体袋との間でストレートに延在し、
上記第２の基板は、上記厚さ方向に関して上記ポンプと上記流体袋との間で、かつ、上記平面方向に関して上記第１の流体経路の隣り合う空間に延在していることを特徴とする血圧計。
【請求項４】
請求項３に記載の血圧計において、
上記第２の基板は、上記平面方向に沿った板面内に、上記第１の流体経路を通す別の逃げ部を含むことを特徴とする血圧計。
【請求項５】
請求項３または４に記載の血圧計において、
上記ポンプを駆動するためのポンプ駆動回路が上記第２の基板に搭載され、
上記第２の基板のうち上記ポンプ駆動回路が搭載された領域は、上記平面方向に関して、上記第１の基板のうち上記圧力センサが搭載された領域から離間して上記ポンプに対向しており、
上記ポンプ駆動回路と上記ポンプとを電気的に接続するリード線は、上記平面方向に関して、上記ポンプのうち上記圧力センサに対して反対側の端部に接続されていることを特徴とする血圧計。
【請求項６】
請求項１から５までのいずれか一つに記載の血圧計において、
上記圧力センサの出力を受けて血圧を算出する処理を行う制御部が上記第１の基板に搭載され、
上記第１の基板において上記圧力センサが搭載された領域に上記制御部が搭載された領域が隣り合っていることを特徴とする血圧計。
【請求項７】
請求項６に記載の血圧計において、
上記第１の基板のうち少なくとも上記圧力センサが搭載された領域と上記制御部が搭載された領域は、上記厚さ方向に関して、上記第１の基板よりも外側に配置された金属板を有する表示器と、上記第１の基板よりも内側に配置された上記第２の基板とで遮蔽されていることを特徴とする血圧計。
【請求項８】
請求項１から７までのいずれか一つに記載の血圧計において、
上記本体は、上記第２の基板と上記流体袋との間に底壁を有し、この底壁は、上記第２の流体経路の周壁の一部を構成するように、上記厚さ方向に延びる貫通した円筒部を有し、
上記底壁の上記円筒部に対して、上記圧力センサの上記導入管、上記流体袋に連通するニップルが、それぞれ気密に取り付けられていることを特徴とする血圧計。
【請求項９】
請求項１から８までのいずれか一つに記載の血圧計において、
上記本体内に、この血圧計の各部へ電力供給するための電池が搭載され、
上記電池は、上記厚さ方向に関して、少なくとも上記第１の基板および上記第２の基板が配置された範囲を連続的に占めていることを特徴とする血圧計。
【請求項１０】
請求項９に記載の血圧計において、
上記第１の基板、上記ポンプ、上記第２の基板、および上記電池が、全体として直方体状の輪郭をもつ外形をなしていることを特徴とする血圧計。
【手続補正２】
【補正対象書類名】明細書
【補正対象項目名】００２３
【補正方法】変更
【補正の内容】
【００２３】
一実施形態の血圧計では、
上記ポンプを駆動するためのポンプ駆動回路が上記第２の基板に搭載され、
上記第２の基板のうち上記ポンプ駆動回路が搭載された領域は、上記平面方向に関して、上記第１の基板のうち上記圧力センサが搭載された領域から離間して上記ポンプに対向しており、
上記ポンプ駆動回路と上記ポンプとを電気的に接続するリード線は、上記平面方向に関して、上記ポンプのうち上記圧力センサに対して反対側の端部に接続されていることを特徴とする。
【手続補正３】
【補正対象書類名】明細書
【補正対象項目名】００２４
【補正方法】変更
【補正の内容】
【００２４】
この一実施形態の血圧計では、上記第２の基板のうち上記ポンプ駆動回路が搭載された領域は、上記平面方向に関して、上記第１の基板のうち上記圧力センサが搭載された領域から離間して上記ポンプに対向している。また、上記ポンプ駆動回路と上記ポンプとを電気的に接続するリード線は、上記平面方向に関して、上記ポンプのうち上記圧力センサに対して反対側の端部に接続されている。したがって、上記ポンプを駆動する際の上記ポンプ駆動回路および上記リード線の発熱が上記圧力センサへ伝わり難い。この結果、上記圧力センサの出力が発熱の影響を受けにくくなって、血圧測定の精度が高まる。
【手続補正４】
【補正対象書類名】明細書
【補正対象項目名】００６３
【補正方法】変更
【補正の内容】
【００６３】
操作部５２では、電源スイッチ５２Ａは、電池５３からの電力供給をオンオフする指示を受け付ける。血圧測定スイッチ５２Ｂは、血圧の測定開始の指示、および、メモリ５１に記憶された血圧値の測定結果のデータを表示器５０に表示させるための指示を受け付ける。これらのスイッチ５２Ａ，５２Ｂは、ユーザによる指示に応じた操作信号をＣＰＵ１００に入力する。
【手続補正５】
【補正対象書類名】明細書
【補正対象項目名】００８８
【補正方法】変更
【補正の内容】
【００８８】
本体アセンブリ１２は、さらに、上基板６１の−Ｙ側の縁部に取り付けられたＵＳＢ基板５５Ｐを備えている。このＵＳＢ基板５５Ｐは、ＵＳＢ端子５５と図示しない配線を搭載している。ＵＳＢ基板５５Ｐの配線は、ＦＰＣケーブル５５Ｆを介して、上基板６１の配線に接続されている。